(57)【要約】【課題】庇の大きさに拘わらず設計の自由度を確保し、且つ、長期に亘って防水性を確実に維持することができる庇構造を提供する。【解決手段】庇構造１では、複数の庇ユニット７を並設することにより庇本体４を形成し、庇の大きさに拘わらず設計の自由度を確保する。また、隣り合う庇ユニット７，７の側縁部３２，３２間の継目３３の下方に、継目３３に沿って延在する排水溝３１を設けることにより、当該継目３３に浸入する水（たとえば雨水）を、当該排水溝３１を通じて排水する。よって、庇としての防水性を確保して雨漏りの発生を防止する。【選択図】図４
2014214533.tif 000002
【特許請求の範囲】
【請求項１】
躯体から突出して設けられる１又は複数のアーム部と、前記アーム部の先端部を覆って前記躯体から張り出して設置される庇本体と、を備え、
前記庇本体は、躯体表面に沿って横方向に並設されて前記アーム部を覆う複数の庇形成部材を備え、
隣り合って設置される前記庇形成部材の側縁部間の継目の下方には、当該継目に沿って延在する排水溝が設けられている
ことを特徴とする庇構造。
【請求項２】
前記排水溝は、隣り合って設置される庇形成部材のうち一方の庇形成部材の側縁部に固定され、前記排水溝の幅方向の一端は、前記継目よりも前記一方の庇形成部材側に配置され、前記排水溝の幅方向の他端は、前記継目よりも他方の庇形成部材側に配置されている
ことを特徴とする請求項１に記載の庇構造。
【請求項３】
前記排水溝の延在方向における基端部は、前記庇形成部材の基端部を躯体側から覆うように立ち上がって設けられている
ことを特徴とする請求項１又は２に記載の庇構造。
【請求項４】
前記排水溝は、前記アーム部の先端部よりも前記躯体から離れる側に突出して設けられており、前記排水溝の先端部の下方には、当該先端部よりも前記躯体から離れる側に雨水を流下させる水切り部が設けられている
ことを特徴とする請求項１〜３のいずれか一項に記載の庇構造。
【請求項５】
前記庇形成部材の側縁部には、前記排水溝の下方となる位置に、前記アーム部に取り付けられる取付け部が設けられている
ことを特徴とする請求項１〜４のいずれか一項に記載の庇構造。
【請求項６】
前記取付け部は、下方に開放して形成された１又は複数の欠込み部と、前記欠込み部の周囲から突出する座部と、を備え、
前記アーム部は、前記欠込み部内に配置される凸部と、前記座部が載置されるブラケット部とを備え、
前記ブラケット部と前記座部とが締結されている
ことを特徴とする請求項５に記載の庇構造。
【発明の詳細な説明】
【技術分野】
【０００１】
本発明は、たとえば玄関アプローチ等に設けられる庇構造に関する。
【背景技術】
【０００２】
この種の庇において、庇の幅や躯体からの張出量が大きくなると、複数枚のパネルを左右や前後に連ねて屋根板（防水面すなわち上面部）を形成することが考えられる。複数枚の屋根板からなる庇では、板材間に目地（すなわち継目）が発生する。この場合、当該目地にカバー材を配置したりコーキング材を充填したりすることで、目地の防水性を確保することができる。しかし、施工が煩雑化すると共に、紫外線等によりカバー材やコーキング剤が劣化してしまうと、防水性を損なってしまう場合がある。特許文献１に記載された庇構造では、１枚の屋根板で庇の上面部を形成している。
【先行技術文献】
【特許文献】
【０００３】
【特許文献１】特開２０１０-２４８８２８号公報
【発明の概要】
【発明が解決しようとする課題】
【０００４】
しかしながら、上記特許文献１の構成では、庇の長さや幅が異なると、その都度屋根板を準備しなければならない。また、たとえば庇を出隅部に設置する場合等には、庇の形状が複雑化することとなり、かえって庇の設計の自由度を損なうという問題がある。
【０００５】
本発明は、庇の大きさに拘わらず設計の自由度を確保し、且つ、長期に亘って防水性を確実に維持することができる庇構造を提供することを目的とする。
【課題を解決するための手段】
【０００６】
本発明の庇構造は、躯体から突出して設けられる１又は複数のアーム部と、アーム部の先端部を覆って躯体から張り出して設置される庇本体と、を備え、庇本体は、躯体表面に沿って横方向に並設されてアーム部を覆う複数の庇形成部材を備え、隣り合って設置される庇形成部材の側縁部間の継目の下方には、当該継目に沿って延在する排水溝が設けられていることを特徴とする。
【０００７】
この庇構造によれば、庇本体は、複数の庇形成部材が並設されることにより形成される。よって、庇の大きさに拘わらず設計の自由度が確保される。また、隣り合う庇形成部材の側縁部間の継目の下方には継目に沿って延在する排水溝が設けられるため、当該継目に浸入する水（たとえば雨水）は当該排水溝を通じて排水されることとなる。よって、庇としての防水性は確保されて雨漏りの発生が防止される。
【０００８】
排水溝は、隣り合って設置される庇形成部材のうち一方の庇形成部材の側縁部に固定され、排水溝の幅方向の一端は、継目よりも一方の庇形成部材側に配置され、排水溝の幅方向の他端は、継目よりも他方の庇形成部材側に配置されてもよい。この構成によれば、予め排水溝が固定された庇形成部材を並設すれば、継目に沿って延在する排水溝が自ずと形成される。よって、庇形成部材の設置後に排水溝を別途設ける工程を省くことができ、施工が容易となる。
【０００９】
排水溝の延在方向における基端部は、庇形成部材の基端部を躯体側から覆うように立ち上がって設けられてもよい。この構成によれば、庇形成部材の基端部が排水溝に覆われることとなるので、当該庇形成部材の側縁部の基端部においても、より確実な排水が実現される。
【００１０】
排水溝は、アーム部の先端部よりも躯体から離れる側に突出して設けられており、排水溝の先端部の下方には、当該先端部よりも躯体から離れる側に雨水を流下させる水切り部が設けられてもよい。この構成によれば、排水溝を通過してきた雨水等は水切り部を介して、躯体から離れる側すなわち庇の前方より処理されることとなり、当該庇構造への雨水の浸入や庇構造の下方空間への雨水の垂れ等が抑制される。
【００１１】
庇形成部材の側縁部には、排水溝の下方となる位置に、アーム部に取り付けられる取付け部が設けられてもよい。この構成によれば、庇形成部材間の継目の位置とアームとの連結部とが幅方向で同じ位置となり、庇形成部材の部材形成及びアームへの取り付けが容易なものとなる。
【００１２】
取付け部は、下方に開放して形成された１又は複数の欠込み部と、欠込み部の周囲から突出する座部と、を備え、アーム部は、欠込み部内に配置される凸部と、座部が載置されるブラケット部とを備え、ブラケット部と座部とが締結されてもよい。庇形成部材の欠込み部に凸部を挿嵌するだけで庇形成部材のアームに対する前後位置が定められ、取り付けが容易となる。また、さらに座部とブラケット部とを締結することで、庇形成部材のアームへの固定が確実なものとなる。
【発明の効果】
【００１３】
本発明によれば、庇の大きさに拘わらず設計の自由度を確保し、且つ、長期に亘って防水性を確実に維持することができる。
【図面の簡単な説明】
【００１４】
【図１】本発明の第１実施形態に係る庇構造の斜視図である。
【図２】本発明の第１実施形態に係る庇構造の分解斜視図である。
【図３】本発明の第１実施形態に係る庇構造の上面図である。
【図４】図３のＩＶ−ＩＶ線に沿った断面図である。
【図５】図４中の庇形成部材の取付け部付近を拡大して示す断面図である。
【図６】図４のＶＩ−ＶＩ線に沿った断面図である。
【図７】図４中の庇先端部材付近を拡大して示す断面図である。
【図８】庇形成部材の継目において、蓋部材付近を拡大して示す断面図である。
【図９】排水溝を通じて雨水等が排水される場合の流れを示す図である。
【図１０】入隅部の傾斜路を通じて雨水等が排水される場合の流れを示す図である。
【図１１】終端部において水受け部から雨水等が流下する場合の流れを示す図である。
【図１２】本発明の第２実施形態に係る庇構造における庇先端部材付近を拡大して示す断面図である。
【発明を実施するための形態】
【００１５】
以下、本発明の実施形態について、図面を参照しながら説明する。なお、図面の説明において同一要素には同一符号を付し、重複する説明は省略する。
【００１６】
一般に、庇は、建物の窓や出入り口などの開口の上に取り付けられ、日よけや雨よけ用として機能する小型の片流れ屋根である。本実施形態に係る庇構造１は、躯体Ｘから張り出すように設けられて庇として機能する構造体を広く意図している。以下では、入隅部Ｂと出隅部Ｃとを備えた建物の庇構造１を例に説明する。なお、躯体とは、建物の主要な構造体、または骨組みを意味する。以下の実施形態では、躯体Ｘは、基礎、基礎上に立設された柱、及び柱同士に渡された梁などを備える。
【００１７】
［第１実施形態］
本実施形態に係る建物Ａは、工業化住宅（「規格化住宅」ともいう）であり、例えば、躯体Ｘに取り付けられた外壁２を備える。外壁２としては、例えば、耐火性や断熱性、更に、作業性を考慮して軽量気泡コンクリート（ＡＬＣ）パネルなどの外壁パネルが用いられる。
【００１８】
図１及び図３に示されるように、建物Ａは、入隅部Ｂと出隅部Ｃとを備えている。入隅部Ｂは直交する二つの外壁２ａ，２ｂが入り合って形成される部分であり、室外側から見て凹状となる角部分である。出隅部Ｃは直交する二つの外壁２ａ，２ｃが出合って形成される部分であり、室外側から見て凸状となる角部分である。庇構造１は、外壁面（躯体表面）２ｄに沿って設けられており、たとえば入隅部Ｂから出隅部Ｃにかけて設けられ、更に、出隅部Ｃを跨ぎ、方向を変えて延在する。庇構造１の入隅部Ｂ側の端１ａは、外壁２ｂの外壁面２ｄに当接して閉鎖された端部を形成し、反対側の端１ｂは、外壁２ｃの外壁面２ｄに当接することなく、開放された端部を形成する。
【００１９】
最初に庇構造１の概要を説明する。図１、図２、及び図４に示されるように、庇構造１は、躯体Ｘに固定された複数のアーム部３と、アーム部３に支持された庇本体４とを備えている。アーム部３は板状の部材であり、基端部にはフランジ部３ａが設けられている。フランジ部３ａは、Ｈ形鋼からなる梁６のウェブ部６ａに固定されている。また、アーム部の先端部３ｂは、外壁２ａ，２ｃを貫通して外方に突出している。アーム部３の先端部３ｂ同士は、断面Ｃ字状の鼻先金物５によって互いに連結されている。
【００２０】
庇本体４は、複数の庇ユニット（庇形成部材）７を横並びに連結することで形成される。各庇ユニット７は、外壁面２ｄから突き出たアーム部３に被さるように載置され、少なくとも二つのアーム部３によって支持されている。また、庇本体４は、躯体Ｘ側の基端部から先端部にかけて下り傾斜状に形成された上面部８を備えており、上面部８には、その先端部９から下方に突出する鼻隠し部１１が設けられている。上面部８上に落下した雨水は、先端部９側に向けて流下する。
【００２１】
庇本体４の先端部９には、庇先端部材２０が連結されている。すなわち、庇先端部材２０は、躯体Ｘから張り出す庇本体４の先端部９に設けられる庇先端部構造１０を成している。庇先端部材２０は、鼻隠し部１１の上端部１１ａに取り付けられ、庇本体４の上面部８に揃うように連接された第１の水切り材２１と、鼻隠し部１１の下端部１１ｂに取り付けられた第２の水切り材２２とを有する。第１の水切り材２１は、複数の庇ユニット７の連結部分７ａを跨ぐように配置された横長の部材であり、複数の庇ユニット７の先端側の連結部分７ａは第１の水切り材２１によって目隠しされる。庇本体４の上面部８を伝って流下した雨水は、第１の水切り材２１によって水切りされる。第１の水切り材２１の先端部２１ａは、第２の水切り材２２の先端部２２ａよりも、躯体Ｘの外壁面２ｄから離れる側すなわち前方に突出して設けられている。
【００２２】
第２の水切り材２２は、第１の水切り材２１と同様に、複数の庇ユニット７の先端側の連結部分７ａを目隠しする。また、第２の水切り材２２は、鼻隠し部１１の下端部１１ｂに取り付けられており、鼻隠し部１１を流下する雨水を受けて流下させる。第２の水切り材２２によって、水切りの効果を高めることができる。
【００２３】
次に、庇構造１の詳細について説明する。図２および図４に示されるように、各アーム部３は、躯体Ｘの梁６から、外壁面２ｄに直交する方向に突出している。アーム部３は、外壁２ａ，２ｃを構成する外壁パネルの隙間から突出している。アーム部３は、鋼板によって形成されており、先端側に向かうに連れて背（すなわち鉛直方向の寸法）が小さくなっている。鼻先金物５は、アーム部３の先端部３ｂ同士を連結する横架材である。
【００２４】
図１〜図３に示されるように、複数の庇ユニット７は、外壁面２ｄに沿って水平方向に並設されている。庇ユニット７は、アーム部３の外壁面２ｄから突出した部分および先端部３ｂを覆っている。各庇ユニット７は、外壁面２ｄに沿う水平方向すなわち幅方向に所定の長さを有しており、外壁面２ｄに直交する方向に所定の長さ張り出している。各庇ユニット７は、下方が開放されたボックス状を呈している。庇ユニット７の上面部８は、外壁面２ｄ側である基端側から、外壁面２ｄから離れる側である先端側に向けて、下方に傾斜している。庇ユニット７は、幅方向に垂直な断面において、台形状をなしている（図４参照）。
【００２５】
図４に示されるように、躯体Ｘ側の軒裏Ｄから庇構造１の張出し部Ｅにかけて、被覆材２５が取り付けられている。被覆材２５は、軒裏Ｄに適用される所定の仕様を満たす板材であり、珪酸カルシウム板等により構成される。被覆材２５は、躯体Ｘ（梁６の下部および外壁２の下部等）および庇ユニット７の下部に対して、取付金物２５ａ等を介して固定されている。言い換えれば、被覆材２５は、軒裏天井が庇構造１の下部に至るまで延長されるようにして設置されている。このような構成により、軒裏Ｄと庇構造１の張出し部Ｅとの間で、被覆材の継目は無くなっている。被覆材２５は、庇ユニット７の下面に形成された開口を塞いでいる。
【００２６】
図２、図５、および図６に示されるように、庇ユニット７の上面部８は、長方形状の構造用合板である合板材２６と、合板材２６の上面を覆うように設けられた鋼板材２４とを有する。合板材２６の幅方向における両方の側縁部には、取付板２７が固定されている。取付板２７は、外壁面２ｄに平行な断面がＣ字状をなしている。取付板２７は、合板材２６の下面に固定される側板部２７ａと、側板部２７ａの下端から水平に延在する座部２７ｃとを有する。
【００２７】
アーム部３には、庇ユニット７の取付板２７を取り付けるための取付ブラケット（ブラケット部）２８が固定されている。取付ブラケット２８は、アーム部３に懸架されてアーム部３に係合される係合部２８ａと、係合部２８ａの下端から水平に延在する水平板部２８ｂとを有する。取付ブラケット２８の係合部２８ａは、アーム部３の両側で互いに対向する一対の垂直板部を有している。この一対の垂直板部が、ボルトおよびナットを有する締結部２９によって、アーム部３に対して固定される。
【００２８】
上面部８の側縁部に設けられた一対の取付板２７同士の間隔は、アーム部３，３同士の間隔に略一致する。アーム部３に固定された取付ブラケット２８の水平板部２８ｂ上に、取付板２７の座部２７ｃが載置され、水平板部２８ｂと座部２７ｃとがボルトおよびナットを有する締結部３０によって締結されている。
【００２９】
ここで、取付板２７の側板部２７ａには、下方に開放する複数の欠込み部２７ｂが形成されている。欠込み部２７ｂは、矩形状に形成されている。取付ブラケット２８に対して庇ユニット７が取り付けられる際、この欠込み部２７ｂ内に、締結部２９の横方向に突出した部分が下方から挿嵌される。このように、取付板２７は、締結部２９の突出した部分が配置される欠込み部２７ｂと、欠込み部２７ｂの周囲から突出する座部２７ｃとを備えている。締結部２９は、欠込み部２７ｂ内に配置される凸部である。取付ブラケット２８に対して庇ユニット７が取り付けられる際、取付ブラケット２８を固定するための締結部２９と、取付板２７に形成された欠込み部２７ｂとによって、庇ユニット７の位置決めが容易になっている。欠込み部２７ｂは、１枚の取付板２７に対して１つのみが設けられてもよい。
【００３０】
側板部２７ａには、欠込み部２７ｂよりも先端側において、矩形状の欠込み部２７ｄが形成されている。この欠込み部２７ｄ内には、アーム部３の先端部３ｂおよび鼻先金物５が配置される（図４参照）。
【００３１】
図６に示されるように、合板材２６を覆う鋼板材２４の側縁部２４ａは、合板材２６から幅方向に突出している。側縁部２４ａの端部は、下方に向けてＬ字状に折り曲げられている。隣り合って設置される庇ユニット７，７において、側縁部２４ａ，２４ａ同士が幅方向に僅かな隙間をもって対向している。側縁部２４ａ，２４ａ同士によって形成された溝状の空間にシーリング材が充填されて、シール部３４が形成されている。シール部３４は、庇ユニット７の上面部８の傾斜方向に沿って、庇ユニット７の基端部から先端部にかけて延在している。このシール部３４が形成された部分は、隣り合って設置される庇ユニット７，７の側縁部３２，３２間の継目３３に相当する。
【００３２】
図４、図５、および図６に示されるように、庇ユニット７，７の側縁部３２，３２間の継目３３の下方には、当該継目３３に沿って延在する排水溝３１が設けられている。図６に示されるように、排水溝３１は、取付板２７の側板部２７ａに対してビス３６によって固定される取付板部３１ａと、継目３３に沿って継目３３の下方に延在する底板部３１ｃと、幅方向における底板部３１ｃの両側に起立する一対の側板部３１ｂ，３１ｂとを有する。排水溝３１は、たとえば、一枚の長尺状の鋼板を折り曲げることによって形成される。図４および図５に示されるように、排水溝３１は、上面部８の傾斜に沿って傾斜している。
【００３３】
このように、排水溝３１の幅方向の一端（すなわち図６に示される取付板部３１ａおよび左側の側板部３１ｂ）は、隣り合って設置される庇ユニット７，７のうち一方の庇ユニット７の側縁部３２に固定され、排水溝３１の幅方向の他端（すなわち図６に示される右側の側板部３１ｂ）は、他方の庇ユニット７の側縁部３２の下方に配置されている。言い換えれば、排水溝３１は、隣り合って設置される庇ユニット７，７のうち一方の庇形成部材７の側縁部３２に固定され、排水溝３１の幅方向の一端は、継目３３よりも一方の庇形成部材７（の幅方向中央）側に配置され、排水溝３１の幅方向の他端は、継目３３よりも他方の庇形成部材７（の幅方向中央）側に配置されている。排水溝３１は、内蔵樋もしくは隠し樋と言うことができる。
【００３４】
排水溝３１は、シール部３４のシール機能が何らかの要因（たとえば、長期の使用を経た場合の劣化等）によって十分でなくなったなどの万が一の場合に、浸入する雨水等の水を庇ユニット７の先端部９に流下させるための補助的な排水手段である。これによって、庇構造１における防水性が十分に確保される。
【００３５】
すなわち、あくまで上面部８が、主たる排水面として機能する。ただちに排水溝３１が機能するわけではなく、通常は、まず上面部８で排水処理を行い、数十年単位の長期使用で継目３３のシール材に不具合が生じる場合等、万が一のときに、排水溝３１が機能する。このように、排水処理を多段に準備しておくことで、きわめて長期に亘る庇の排水機能が確保され、雨漏れや、それによる被覆材２５の汚損等も防止できる。
【００３６】
上記した取付板２７の欠込み部２７ｂおよび座部２７ｃは、排水溝３１の下方となる位置に設けられている。欠込み部２７ｂおよび座部２７ｃは、アーム部３に対し、取付ブラケット２８を介して取り付けられる取付け部３５に相当する。
【００３７】
なお、取付ブラケット２８の水平板部２８ｂと座部２７ｃとの間に、高さ調整用のスペーサを介在させてもよい。これにより、欠込み部２７ｂからの締結部２９の抜けが確実に防止され、強風時や地震時等により庇ユニット７に過大な振動等が発生した場合でも、当該庇ユニット７のアーム部３からの外れを防止することができる。
【００３８】
図４および図７を参照して、庇先端部構造１０について説明する。排水溝３１は、アーム部３の先端部３ｂよりも躯体Ｘから離れる側すなわち前方に突出して設けられている。排水溝３１の先端部３１ｅは、取付板２７の先端２７ｅよりも前方に突出している。排水溝３１の先端部３１ｅは、庇構造１の幅方向において、庇ユニット７，７同士の連結部分７ａ（具体的には鼻隠し部１１，１１間の継目）に一致している。
【００３９】
鼻隠し部１１の上端部１１ａには、ビス３７等によって、アルミ製の第１の水切り材２１が固定されている。第１の水切り材２１は、庇ユニット７の上面部８における傾斜方向と同じ方向に傾斜する上面部２１ｂを有する。上面部２１ｂは、庇ユニット７の上面部８を流下する雨水等の水をさらに流下させ、先端部２１ａから落下させる。上面部２１ｂの下方には、上面部２１ｂに対向する水平板部２１ｄが形成されている。上面部２１ｂと先端部２１ａとの間には曲面部２１ｃが形成され、さらに、先端部２１ａの下端が水平板部２１ｄよりも下方に突出することにより、第１の水切り材２１における水切り性能の向上が図られている。
【００４０】
鼻隠し部１１の下端部１１ｂには、ビス３８等によって、アルミ製の第２の水切り材２２が固定されている。第２の水切り材２２は、第１の水切り材２１における上面部２１ｂの傾斜方向と同じ方向に傾斜する上面部２２ｂを有する。上面部２２ｂは、鼻隠し部１１の前面を形成する鼻隠し板１１ｃの下方に配置されている。上面部２２ｂは、鼻隠し板１１ｃを流下する雨水等の水を受け、先端部２２ａから落下させる。上面部２２ｂは、排水溝３１の先端部３１ｅから落下し鼻隠し部１１，１１間の継目を通過した雨水等の水を受け、先端部２２ａから落下させる（図９参照）。上面部２２ｂの下方には、上面部２２ｂに対向する水平板部２２ｄが形成されている。上面部２２ｂと先端部２２ａとの間には曲面部２２ｃが形成され、さらに、先端部２２ａの下端が水平板部２２ｄよりも下方に突出することにより、第２の水切り材２２における水切り性能の向上が図られている。
【００４１】
この第２の水切り材２２は、排水溝３１の先端部３１ｅの下方に配置されて、当該先端部３１ｅよりも躯体Ｘから離れる側すなわち前方に雨水を流下させる水切り部である。なお、第１の水切り材２１の先端部２１ａは、第２の水切り材２２の先端部２２ａよりも前方に突出しているので、第１の水切り材２１の先端部２１ａから落下した雨水等の水は、第２の水切り材２２上に落下することなく、第２の水切り材２２を通過する。
【００４２】
図２、図４、および図８を参照して、庇本体４の基端部７ｂにおける取付け構造について説明する。外壁面２ｄにおいて、庇ユニット７が設置される部分には、掘り込み（凹部）４０が形成される。庇ユニット７の基端部７ｂは、外壁面２ｄに対して、掘り込み４０のやや下方の位置に当接される。庇ユニット７の基端部７ｂには、外壁面２ｄに沿って横方向に延在する蓋部材４１が設けられている。蓋部材４１は、外壁２ａに固定されており、庇ユニット７の基端部７ｂに至るカバー状を呈している。すなわち、庇ユニット７の基端部７ｂと外壁面２ｄとの間の継目は、蓋部材４１によって覆われている。
【００４３】
図８に示されるように、蓋部材４１は、掘り込み４０内に埋設されて外壁２ａに対して固定される埋込み・固定部４１ａと、外壁面２ｄから突出するカバー部４１ｂと、庇ユニット７の上面部８に当接する座部４１ｃとを有している。埋込み・固定部４１ａは、ビス等によって固定されており、掘り込み４０内には、埋込み・固定部４１ａ上においてシーリング材４６が充填されている。
【００４４】
カバー部４１ｂは、蓋部材４１の延在方向に垂直な断面において、Ｌ字状を呈している。カバー部４１ｂの裏面側には、掘り込み４０の下部に連通する空間Ｓが形成されている。空間Ｓは、庇ユニット７の基端部７ｂの上方に延在している。カバー部４１ｂの裏側には、外壁面２ｄと、庇ユニット７の基端部７ｂの上面部７ｂａと、カバー部４１ｂの裏面と、によって形成された水受け部４３が設けられている。
【００４５】
蓋部材４１の延在方向において複数の蓋部材４１を並設する場合、蓋部材４１，４１の端部同士が重ねて継がれる。この重ね継ぎ部には、２条シーリングが施される。蓋部材４１，４１の座部４１ｃ，４１ｃ同士は、一方の端部が斜めに切り落とされて他方の端部に差し込まれることにより、連結される。なお、蓋部材４１，４１の端部同士が突き合わされており、その内側に裏板材が設けられる構成を採用してもよい。
【００４６】
この水受け部４３のうち、基端部７ｂの上面部７ｂａ上には、充填材４９が充填されている。すなわち、空間Ｓの下部には充填材４９が充填されている。充填材４９は、基端部７ｂの上面部７ｂａ上に設けられた水密材４７と、水密材４７上に設けられたコーキング材４８と、からなる。シール部３４の基端側と外壁面２ｄとの間には、水密材４７と同じ材料からなる水密材５０が充填されている。
【００４７】
このように、庇本体４の基端部７ｂにおいては、蓋部材４１と、蓋部材４１の表面側と外壁面２ｄとの間に設けられたシーリング材４６と、蓋部材４１の裏面側と外壁面２ｄとの間に設けられた充填材４９と、によって２重の防水構造が備わっている。
【００４８】
水受け部４３は、略水平に延在している。水受け部４３内に水が浸入した場合には、水は、延在方向のいずれかの方向へ自然に流下可能になっている。水受け部４３は、蓋部材４１によって遮蔽された隠し溝である。なお、水受け部４３には、延在方向において若干の勾配が設けられてもよい。
【００４９】
図４および図８に示されるように、排水溝３１の延在方向における基端部３１ｆは、庇ユニット７の基端部７ｂを外壁２ａ側から覆うように立ち上がって設けられている。より詳細には、排水溝３１の基端部３１ｆは、合板材２６と外壁面２ｄとの間に配置されており、外壁２ａの外壁面２ｄに密着している。
【００５０】
上記の構成により、排水溝３１は、外壁面２ｄの近傍、すなわち水受け部４３の下方にも配設されている。水受け部４３の下方に排水溝３１が設けられることにより、シーリング材４６または充填材４９によるシール機能が何らかの要因（たとえば、数十年単位の長期の使用を経た場合の劣化等）によって十分でなくなった場合であっても、雨水等は排水溝３１を介して排水処理可能となっている。このように、シーリング材４６と、水受け部４３が設けられた水受け部４３と、その下方に配置された排水溝３１とによって、３重の防水構造が備わっており、建物Ａを長期にわたって使用した場合の十分かつ確実な防水性が実現されている。
【００５１】
次に、図１０を参照して、入隅部Ｂ（庇本体４の端１ａ）における排水構造について説明する。外壁２ａの外壁面２ｄと外壁２ｂの外壁面（他の躯体表面）２ｄとが直交する入隅部Ｂに庇本体４が設けられる場合、庇ユニット７の側端部７ｅは、外壁２ｂの外壁面２ｄに当接している。さらに、蓋部材４１と同様、この側端部７ｅを覆い外壁２ｂの外壁面２ｄに沿って延在する蓋部材（他の蓋部材）５１が設けられている。外壁２ｂの外壁面２ｄと側端部７ｅの上面部と蓋部材５１の裏面とによって、上面部８の勾配に沿って傾斜する傾斜路５３が形成されている。蓋部材５１は蓋部材４１に連続して設けられており、傾斜路５３は、水受け部４３に連通している。このように形成された傾斜路５３によって、入隅部Ｂにおける、水受け部４３に浸入した水の排水機能が確保されている。
【００５２】
図１１を参照して、庇本体４の端１ｂにおける排水構造について説明する。図１１では、端１ｂ近傍における、蓋部材４１の延在方向に垂直な断面を示している。開放された端部を形成する端１ｂ（図３参照）では、庇ユニット７は、外壁面２ｄの途中で終端している。水受け部４３は、その終端部において雨水を流下可能に開放されている。すなわち、端１ｂにおける水受け部４３の端部は開放端４３ａとされている。このように水受け部４３の端部が開放端４３ａとされることにより、水受け部４３を通じて流下してきた雨水等は、開放端４３ａから落下し、適切な排水処理が行われることとなる。
【００５３】
このように、当該水受け部４３の終端部は、上述の如く雨水を流下可能に開放されている。当該開放された終端部から雨水が吹き込むことを防止すべく、当該終端部は、カバー部材（図示省略）で覆われる。具体的には、蓋部材４１の端部を水受け部４３の終端部よりもやや突出状に延在させ、当該突出端部に前記終端部を覆うようにカバー部材を設置する。これにより、当該終端部からの雨水の流下を許容しつつ、当該終端部への雨水の吹き込みが防止されるものとなる。なお、蓋部材４１の端部と水受け部４３の終端部とを揃えてもよく、カバー部材を省略してもよい。蓋部材を突出させてカバー部材を設ける構成は、傾斜路５３の終端部でも採用可能である。
【００５４】
本実施形態の庇構造１によれば、庇本体４は、複数の庇ユニット７が並設されることにより形成されるので、庇の大きさに拘わらず設計の自由度が確保される。また、隣り合う庇ユニット７，７の側縁部３２，３２間の継目３３の下方には継目３３に沿って延在する排水溝３１が設けられるため、数十年単位の長期使用で継目３３のシール材に不具合が生じる場合等、万が一のときには、当該継目３３に浸入する水（たとえば雨水）は当該排水溝３１を通じて排水されることとなる。よって、庇としての防水性は確保されて雨漏りの発生が防止される。また、排水溝３１は庇ユニット７によって隠れるため、紫外線照射も回避され、排水溝３１の劣化も著しく抑制されるものとなる。
【００５５】
排水溝３１は、隣り合って設置される庇ユニット７，７のうち一方の庇形成部材７の側縁部３２に固定され、排水溝３１の幅方向の一端は、継目３３よりも一方の庇形成部材７側に配置され、排水溝３１の幅方向の他端は、継目３３よりも他方の庇形成部材７側に配置されるので、予め排水溝３１が固定された庇ユニット７を並設すれば、継目３３に沿って延在する排水溝３１４が自ずと形成される。よって、庇ユニット７の設置後に排水溝３１を別途設ける工程を省くことができ、施工が容易となる。
【００５６】
排水溝３１の延在方向における基端部３１ｆは、庇ユニット７の基端部７ｂを躯体Ｘ側から覆うように立ち上がって設けられるので、庇ユニット７の基端部７ｂが排水溝３１に覆われることとなり、当該庇ユニット７の側縁部の基端部７ｆ（図９参照）においても、より確実な排水が実現される。
【００５７】
排水溝３１は、アーム部３の先端部３ｂよりも前方に突出して設けられており、排水溝３１の先端部３１ｅの下方には、先端部３１ｅよりも前方に雨水を流下させる第２の水切り材２２が設けられているため、排水溝３１を通過してきた雨水等は第２の水切り材２２を介して、庇構造１の前方より処理されることとなり（図９参照）、当該庇構造１への雨水の浸入や庇構造１の下方空間への雨水の垂れ等が抑制される。
【００５８】
アーム部３の側縁部３２には、排水溝３１の下方となる位置に、アーム部３に取り付けられる取付け部３５が設けられてもよい。この構成によれば、庇ユニット７間の継目の位置とアーム３との連結部とが幅方向で同じ位置となり、庇ユニット７の部材形成及びアーム３への取り付けが容易なものとなる。
【００５９】
取付け部３５は、下方に開放して形成された１又は複数の欠込み部２７ｂと、欠込み部２７ｂの周囲から突出する座部２７ｃと、を備え、アーム部３は、欠込み部２７ｂ内に配置される締結部２９と、座部２７ｃが載置される取付ブラケット２８とを備え、取付ブラケット２８と座部２７ｃとが締結されるので、庇ユニット７の欠込み部２７ｂに締結部２９を挿嵌するだけで庇ユニット７のアーム３に対する前後位置が定められ、取り付けが容易となる。また、さらに座部２７ｃと取付ブラケット２８とを締結することで、庇ユニット７のアーム３への固定が確実なものとなる。
【００６０】
［第２実施形態］
次に、図１２を参照して、第２実施形態の庇構造について説明する。第２実施形態の庇構造が第１実施形態の庇構造１と異なる点は、掘り込み４０の下方にさらに掘り込み（凹部）６０が形成されており、この掘り込み６０内に、庇ユニット７の基端部７ｂ、充填材４９、および排水溝３１の基端部３１ｆが配置されている点である。すなわち、外壁２ａには、庇ユニット７の基端部７ｂおよび排水溝３１の基端部３１ｆを当接させる凹部が形成されている。これによれば、外壁面２ｄを流下する雨水等の水も排水溝３１によって受けることができる。
【００６１】
以上、本発明の実施形態について説明したが、本発明は上記実施形態に限定されるものではない。庇本体４は、入隅部Ｂや出隅部Ｃを除く位置に設けられてもよい。１個の庇ユニット７に対して、アーム部３が一本のみ設けられてもよい。排水溝３１を庇ユニット７とは別に設ける構成も採用可能である。
【符号の説明】
【００６２】
１…庇構造、２ｄ…外壁面（躯体表面）、３…アーム部、３ｂ…先端部、４…庇本体、７…庇ユニット（庇形成部材）、７ｂ…基端部、７ｂａ…基端部７ｂの上面部、２２…第２の水切り材（水切り部）、２７ｂ…欠込み部、２７ｃ…座部、２９…締結部（凸部）、３１…排水溝、３１ｆ…基端部、３２…側縁部、３３…継目、３５…取付け部、４１…蓋部材、４３…水受け部、４９…充填材、５３…傾斜路、Ｂ…入隅部、Ｃ…出隅部、Ｘ…躯体。
【図１】
2014214533.tif 000003
【図２】
2014214533.tif 000004
【図３】
2014214533.tif 000005
【図４】
2014214533.tif 000006
【図５】
2014214533.tif 000007
【図６】
2014214533.tif 000008
【図７】
2014214533.tif 000009
【図８】
2014214533.tif 000010
【図９】
2014214533.tif 000011
【図１０】
2014214533.tif 000012
【図１１】
2014214533.tif 000013
【図１２】
2014214533.tif 000014